【手続補正書】
【提出日】平成25年12月19日(2013.12.19)
【手続補正１】
【補正対象書類名】特許請求の範囲
【補正対象項目名】全文
【補正方法】変更
【補正の内容】
【特許請求の範囲】
【請求項１】
複数の通信速度のうち何れかの通信速度で外部装置とネットワークを介して通信可能な通信装置であって、
前記通信装置を省電力モードに移行させるべきか否かを判定する制御手段と、
前記省電力モードに移行すべきと前記制御手段により判定された場合に、前記複数の通信速度のうち低い通信速度で前記外部装置と通信するように通信速度の変更を行う通信制御手段と、
前記省電力モードに移行すべきと前記制御手段により判定された場合に前記制御手段への電力供給を遮断するように制御し、前記省電力モードで前記外部装置からデータを受信した場合に前記制御手段に電力を供給するように制御する電力制御手段とを有し、
前記通信制御手段は、前記外部装置から前記データを受信した場合に、前記複数の通信速度のうち高い通信速度で前記外部装置と通信するように通信速度の変更を行うことを特徴とする通信装置。
【請求項２】
前記制御手段は、前記省電力モードに移行させるべきと判定した場合に、前記通信制御手段に第１の指示を送信した後に前記電力制御手段に第２の指示を送信し、
前記通信制御手段は、前記制御手段により送信された前記第１の指示に応じて、前記複数の通信速度のうち低い通信速度で前記外部装置と通信するように通信速度の変更を行い、
前記電力制御手段は、前記制御手段により送信された前記第２の指示に応じて、前記制御手段への電力供給を遮断するように制御し、
前記通信制御手段は、前記省電力モードで前記外部装置からデータを受信したことに応じて、第３の指示を前記電力制御手段に送信し、
前記電力制御手段は、前記通信制御手段により送信された前記第３の指示に応じて、前記制御手段に電力を供給するように制御することを特徴とする請求項１に記載の通信装置。
【請求項３】
前記第１の指示は通信速度を変更する指示であることを特徴とする請求項２に記載の通信装置。
【請求項４】
前記第２の指示は前記制御手段への電力供給を遮断する指示であることを特徴とする請求項２又は３に記載の通信装置。
【請求項５】
前記第３の指示は前記制御手段に電力を供給する指示であることを特徴とする請求項２ないし４のいずれか１項に記載の通信装置。
【請求項６】
前記データは印刷データ又はステータス要求であることを特徴とする請求項１ないし５のいずれか１項に記載の通信装置。
【請求項７】
画像を用紙に印刷する印刷手段を更に有し、
前記電力制御手段は、前記制御手段により前記省電力モードに移行すべきと判定された場合に、前記制御手段および前記印刷手段への電力供給を遮断するように制御することを特徴とする請求項１ないし６のいずれか１項に記載の通信装置。
【請求項８】
前記電力制御手段は、少なくとも前記制御手段への電力供給が遮断されている前記省電力モードで前記外部装置からデータを受信した場合に、前記制御手段および前記印刷手段に電力を供給するように制御することを特徴とする請求項７に記載の通信装置。
【請求項９】
複数の通信速度のうち何れかの通信速度で外部装置とネットワークを介して通信可能な通信装置の制御方法であって、
制御手段が、前記通信装置を省電力モードに移行させるべきか否かを判定する判定ステップと、
前記制御手段により前記省電力モードに移行すべきと判定された場合に、前記複数の通信速度のうち低い通信速度で前記外部装置と通信するように通信速度の変更を行う第１の変更ステップと、
前記制御手段により前記省電力モードに移行すべきと判定された場合に、前記制御手段への電力供給を遮断する遮断ステップと、
前記省電力モードで前記外部装置からデータを受信した場合に、前記制御手段に電力を供給する電力供給ステップと、
前記外部装置から前記データを受信した場合に、前記複数の通信速度のうち高い通信速度で前記外部装置と通信するように通信速度の変更を行う第２の変更ステップと
を有することを特徴とする制御方法。
【請求項１０】
複数の通信速度のうち何れかの通信速度で外部装置とネットワークを介して通信可能な通信装置に、
前記通信装置を省電力モードに移行させるべきか否かを、前記通信装置が備える制御手段が判定する判定ステップと、
前記省電力モードに移行すべきと判定された場合に、前記複数の通信速度のうち低い通信速度で前記外部装置と通信するように通信速度の変更を行う第１の変更ステップと、
前記省電力モードに移行すべきと判定された場合に、前記制御手段への電力供給を遮断する遮断ステップと、
前記省電力モードで前記外部装置からデータを受信した場合に、前記制御手段に電力を供給する電力供給ステップと、
前記外部装置から前記データを受信した場合に、前記複数の通信速度のうち高い通信速度で前記外部装置と通信するように通信速度の変更を行う第２の変更ステップと
を実行させるためのプログラム。
【請求項１１】
通信装置であって、
複数の通信速度のうち何れかの通信速度で外部装置とネットワークを介して通信する通信手段と、
少なくとも、前記通信手段に対して通信速度の設定を行うための指示を行うとともに、前記通信装置の電力モードを、前記制御手段に電力を供給する第１電力モードから、前記制御手段に電力が供給されない第２電力モードに移行させるべきか否かを判定する制御手段と、
前記制御手段への電力供給を制御する電力供給手段と、を有し、
前記電力供給手段は、前記制御手段が、前記通信装置の電力モードを前記第１電力モードから前記第２電力モードに移行させるべきと判定し、かつ、通信速度を低下させるための指示を前記通信手段に行った場合に、前記制御手段への電力供給を遮断することを特徴とする通信装置。
【請求項１２】
前記第２電力モードから前記第１電力モードに復帰するために前記電力供給手段に復帰指示を出力する出力手段を更に有し、
前記電力供給手段は、前記出力手段による復帰指示に応じて、前記制御手段に電力の供給を再開することを特徴とする請求項１１に記載の通信装置。
【請求項１３】
前記制御手段は、前記電力供給手段により電力の供給が再開したことに応じて、前記通信手段の通信速度を高くするように指示を行うことを特徴とする請求項１２に記載の通信装置。
【請求項１４】
前記出力手段は、前記外部装置からのデータ受信に応じて、前記第２電力モードから前記第１電力モードに復帰するために前記電力供給手段に復帰指示を出力することを特徴とする請求項１２に記載の通信装置。
【請求項１５】
操作者による指示の入力を受け付けることが可能な操作手段を更に有し、
前記出力手段は、前記通信装置が前記第２電力モードで動作している間に、前記操作手段を介して操作者による指示を受け付けた場合、前記第２電力モードから前記第１電力モードに復帰するための復帰指示を出力することを特徴とする請求項１２に記載の通信装置。
【請求項１６】
前記通信手段により前記外部装置から受信した印刷データに基づいて印刷処理を行う印刷手段を更に有することを特徴とする請求項１１ないし１５のいずれか１項に記載の通信装置。
【請求項１７】
前記電力供給手段は、前記第１電力モードでは前記印刷手段に電力を供給し、前記第２電力モードでは前記印刷手段に電力を供給しないことを特徴とする請求項１６に記載の通信装置。
【請求項１８】
前記制御手段は、前記通信装置が一定時間動作しない場合に、前記通信装置の電力モードを前記第１電力モードから前記第２電力モードに移行させるべきと判定することを特徴とする請求項１１ないし１７のいずれか１項に記載の通信装置。
【請求項１９】
前記制御手段は、前記電力モードを前記第１電力モードから前記第２電力モードに移行させるべきと判定した後に、通信速度を低下させるための指示を前記通信手段に行うことを特徴とする請求項１１ないし１８のいずれか１項に記載の通信装置。
【請求項２０】
通信装置の制御方法であって、
通信手段が、複数の通信速度のうち何れかの通信速度で外部装置とネットワークを介して通信する通信ステップと、
制御手段が、少なくとも、前記通信手段に対して通信速度の設定を行うための指示を行う指示ステップと、
前記制御手段が、前記通信装置の電力モードを、前記制御手段に電力を供給する第１電力モードから、前記制御手段に電力が供給されない第２電力モードに移行させるべきか否かを判定する判定ステップと、
前記判定ステップで、前記通信装置の電力モードを前記第１電力モードから前記第２電力モードに移行させるべきと判定し、かつ、前記指示ステップで、通信速度を低下させるための指示を前記通信手段に行った場合に、前記制御手段への電力供給を遮断する電力供給停止ステップと、
を有することを特徴とする通信装置の制御方法。
【手続補正２】
【補正対象書類名】明細書
【補正対象項目名】００１２
【補正方法】変更
【補正の内容】
【００１２】
上記目的を達成するために、本発明の通信装置は、複数の通信速度のうち何れかの通信速度で外部装置とネットワークを介して通信することが可能な通信装置であって、前記通信装置を省電力モードに移行させるべきか否かを判定する制御手段と、前記省電力モードに移行すべきと前記制御手段により判定された場合に、前記複数の通信速度のうち低い通信速度で前記外部装置と通信するように通信速度の変更を行う通信制御手段と、前記省電力モードに移行すべきと前記制御手段により判定された場合に、前記制御手段への電力供給を遮断するように制御し、前記省電力モードで前記外部装置からデータを受信した場合に、前記制御手段に電力を供給するように制御する電力制御手段とを有し、前記通信制御手段は、前記外部装置から前記データを受信した場合に、前記複数の通信速度のうち高い通信速度で前記外部装置と通信するように通信速度の変更を行うことを特徴とする。
また上記目的を達成するために、本発明のその他の通信装置は、複数の通信速度のうち何れかの通信速度で外部装置とネットワークを介して通信する通信手段と、少なくとも前記通信手段に対して通信速度の設定を行うための指示を行うとともに、前記通信装置の電力モードを、前記制御手段に電力を供給する第１電力モードから、前記制御手段に電力が供給されない第２電力モードに移行させるべきか否かを判定する制御手段と、前記制御手段に電力を供給する電力供給手段と、を有し、前記電力供給手段は、前記制御手段が、前記通信装置の電力モードを前記第１電力モードから前記第２電力モードに移行させるべきと判定し、かつ、通信速度を低下させるための指示を前記通信手段に行った場合に、前記制御手段への電力供給を遮断することを特徴とする。